(57)【要約】      （修正有）【課題】トリガーを繰り返して後方に引くことにより、連続して液体を噴霧することができるトリガー式連続噴霧器を提供すること。【解決手段】チューブ部８から導入された液体が第１流路Ｒ１とＦバルブ７ａと、バルブケース２１が嵌合される第１基部と、該第１基部１に内設される加圧シリンダ部３ａと摺動可能な加圧ピストン部１３ａと付勢する第１スプリング６ａと、液体が流通可能な第２流路Ｒ２を有する中間部５と、該第２流路Ｒ２を開閉するＳバルブ７ｂと、第２流路Ｒ２から液体が流入される蓄圧シリンダ部３ｂと摺動可能な蓄圧ピストン部１３ｂと付勢する第２スプリング６ｂと、液体が流通可能な第３流路Ｒ３を有する第２基部２と、該第３流路Ｒ３に配設されたスピンナー部１４と、該スピンナー部１４に取り付けられ、液体が噴霧されるノズル部１５と、加圧ピストン部１３ａを前後にスライドさせる第１トリガー４ａとを備えるトリガー式連続噴霧器１００。【選択図】図１
2013158673.tif 000002
【特許請求の範囲】
【請求項１】
容器内の液体を噴霧するトリガー式連続噴霧器において、
チューブ部と、
該チューブ部から導入された前記液体が流通可能な第１流路を有するバルブケースと、
該第１流路を開閉するＦバルブと、
前記バルブケースが嵌合される第１基部と、
該第１基部に内設され、前記第１流路から前記液体が流入される加圧シリンダ部と、
該加圧シリンダ部内を摺動可能な加圧ピストン部と、
該加圧ピストン部を付勢する第１スプリングと、
前記加圧シリンダ部が取り付けられ、前記液体が流通可能な第２流路を有する中間部と、
該第２流路を開閉するＳバルブと、
前記中間部に取り付けられ、前記第２流路から前記液体が流入される蓄圧シリンダ部と、
該蓄圧シリンダ部内を摺動可能な蓄圧ピストン部と、
該蓄圧ピストン部を付勢する第２スプリングと、
前記蓄圧シリンダ部に連結され、前記液体が流通可能な第３流路を有する第２基部と、
該第３流路に配設されたスピンナー部と、
該スピンナー部に取り付けられ、液体が噴霧されるノズル部と、
前記加圧ピストン部を前後にスライドさせる第１トリガーと、
を備え、
前記第１トリガーを繰り返して後方に引くことにより、前記液体が前記ノズル部から連続噴霧されるトリガー式連続噴霧器。
【請求項２】
前記蓄圧シリンダ部が、前記加圧シリンダ部よりも径大となっている請求項１記載のトリガー式連続噴霧器。
【請求項３】
前記加圧シリンダ部の断面積と前記蓄圧シリンダ部の断面積との大きさの比が、１：３〜７である請求項２記載のトリガー式連続噴霧器。
【請求項４】
前記加圧ピストン部の１回のスライドにより押し出される液体量と、前記蓄圧シリンダ部内に貯蓄される最大の液体量との比が、１：５〜９である請求項１〜３のいずれか１項に記載のトリガー式連続噴霧器。
【請求項５】
前記第１基部には、容器内の負圧を解消するための負圧流路が設けられている請求項１〜４のいずれか１項に記載のトリガー式連続噴霧器。
【請求項６】
前記第１基部と、前記中間部とが一体となっている請求項１〜５のいずれか１項に記載のトリガー式連続噴霧器。
【請求項７】
前記蓄圧シリンダ部と、前記第２基部とが一体となっている請求項１〜６のいずれか１項に記載のトリガー式連続噴霧器。
【請求項８】
液体の噴霧を停止させる噴霧停止手段を更に備え、
該噴霧停止手段が、
前記第２基部に内設され、該第３流路に直交するように設けられた圧抜きシリンダ部と、
該圧抜きシリンダ部を摺動可能な圧抜きピストン部と、
該圧抜きピストン部を付勢する第３スプリングと、
前記圧抜きピストン部を上下にスライドさせる第２トリガーと、からなり、
前記圧抜きピストン部及び前記第１基部には、前記圧抜きシリンダ部から液体が容器内に流通可能となるようにバイパス路が設けられ、
前記第２トリガーを後方に引くことにより、該噴霧が停止され、前記液体が前記バイパス路を流通して前記容器内に流入されるようになっている請求項１〜６のいずれか１項に記載のトリガー式連続噴霧器。
【請求項９】
前記第２トリガーが前記第１トリガーの前方に取り付けられている請求項８記載のトリガー式連続噴霧器。
【請求項１０】
前記蓄圧シリンダ部と、前記第２基部と、前記圧抜きシリンダ部とが一体となっている請求項８又は９に記載のトリガー式連続噴霧器。
【発明の詳細な説明】
【技術分野】
【０００１】
本発明は、新規のトリガー式連続噴霧器に関し、より詳しくは、連続して液体を噴霧させることが可能なトリガー式連続噴霧器に関する。
【背景技術】
【０００２】
容器に収容された液体を所望の位置に吹き付ける装置としてトリガー式噴霧器が知られている。
トリガー式噴霧器には、ポンプ型のものや蓄圧型のものがあり、いずれもトリガーを操作することによって、液体を噴霧させる装置である。
【０００３】
例えば、ポンプ型のトリガー式噴霧器としては、トリガーの回動により液体貯留室内の液体に圧を加え、ノズル部から前記液体を噴射するトリガー式ポンプディスペンサーが知られている（例えば、特許文献１参照）。
また、蓄圧型のトリガー式噴霧器としては、トリガーの回動によりシリンダ内のピストン部を上下に摺動させシリンダ内の液体に圧を加えノズル部から外部に噴射する蓄圧式ディスペンサーが知られている（例えば、特許文献２参照）。
【先行技術文献】
【特許文献】
【０００４】
【特許文献１】特開２０１０−２６９２２２号公報
【特許文献２】特開２００９−１６０５７３号公報
【発明の概要】
【発明が解決しようとする課題】
【０００５】
しかしながら、上記特許文献１及び２に記載の噴霧器は、トリガーの回動に応じて液体の噴霧及び噴霧停止が行われる。このため、連続して液体を噴霧させることができない。
図８の（ａ）は、従来のトリガー式噴霧器におけるトリガーの操作と液体の噴霧状態との関係を示す概略図である。
図８の（ａ）に示すように、従来のトリガー式噴霧器１０１においては、トリガー４を引くことにより液体が噴霧され、トリガー４を元の位置に戻すと液体の噴霧が停止される。このため、繰り返しトリガー４を操作させたとしても、液体が途切れ途切れに噴霧されることになる。
【０００６】
近年、医薬の投与、農薬の散布、消臭剤・芳香剤の散布、工業用薬剤の散布、殺虫剤の散布等においては、液体を連続して噴霧させ、且つ、瞬時に該噴霧を停止させるという機能を有するトリガー式連続噴霧器の開発が求められている。
【０００７】
本発明は上記事情に鑑みてなされたものであり、第１トリガーを繰り返して後方に引くことにより、連続して液体を噴霧することができるトリガー式連続噴霧器を提供することを目的とする。
【課題を解決するための手段】
【０００８】
本発明者は、上記課題を解決するため鋭意検討したところ、加圧シリンダ部及び加圧ピストン部に加え、蓄圧シリンダ部及び蓄圧ピストン部を備えることにより、上記課題を解決し得ることを見出し、本発明を完成するに至った。
【０００９】
本発明は、（１）容器内の液体を噴霧するトリガー式連続噴霧器において、チューブ部と、該チューブ部から導入された液体が流通可能な第１流路を有するバルブケースと、該第１流路を開閉するＦバルブと、バルブケースが嵌合される第１基部と、該第１基部に内設され、第１流路から液体が流入される加圧シリンダ部と、該加圧シリンダ部内を摺動可能な加圧ピストン部と、該加圧ピストン部を付勢する第１スプリングと、加圧シリンダ部が取り付けられ、液体が流通可能な第２流路を有する中間部と、該第２流路を開閉するＳバルブと、中間部に取り付けられ、第２流路から液体が流入される蓄圧シリンダ部と、該蓄圧シリンダ部内を摺動可能な蓄圧ピストン部と、該蓄圧ピストン部を付勢する第２スプリングと、蓄圧シリンダ部に連結され、液体が流通可能な第３流路を有する第２基部と、該第３流路に配設されたスピンナー部と、該スピンナー部に取り付けられ、液体が噴霧されるノズル部と、加圧ピストン部を前後にスライドさせる第１トリガーと、を備え、第１トリガーを繰り返して後方に引くことにより、液体がノズル部から連続噴霧されるトリガー式連続噴霧器に存する。
【００１０】
本発明は、（２）蓄圧シリンダ部が、加圧シリンダ部よりも径大となっている上記（１）記載のトリガー式連続噴霧器に存する。
【００１１】
本発明は、（３）加圧シリンダ部の断面積と蓄圧シリンダ部の断面積との大きさの比が、１：３〜７である上記（２）記載のトリガー式連続噴霧器に存する。
【００１２】
本発明は、（４）加圧ピストン部の１回のスライドにより押し出される液体量と、蓄圧シリンダ部内に貯蓄される最大の液体量との比が、１：５〜９である上記（１）〜（３）のいずれか１つに記載のトリガー式連続噴霧器に存する。
【００１３】
本発明は、（５）第１基部には、容器内の負圧を解消するための負圧流路が設けられている上記（１）〜（４）のいずれか１つに記載のトリガー式連続噴霧器に存する。
【００１４】
本発明は、（６）第１基部と、中間部とが一体となっている上記（１）〜（５）のいずれか１つに記載のトリガー式連続噴霧器に存する。
【００１５】
本発明は、（７）蓄圧シリンダ部と、第２基部とが一体となっている上記（１）〜（６）のいずれか１つに記載のトリガー式連続噴霧器に存する。
【００１６】
本発明は、（８）液体の噴霧を停止させる噴霧停止手段を更に備え、該噴霧停止手段が、第２基部に内設され、該第３流路に直交するように設けられた圧抜きシリンダ部と、該圧抜きシリンダ部を摺動可能な圧抜きピストン部と、該圧抜きピストン部を付勢する第３スプリングと、圧抜きピストン部を上下にスライドさせる第２トリガーと、からなり、圧抜きピストン部及び第１基部には、圧抜きシリンダ部から液体が容器内に流通可能となるようにバイパス路が設けられ、第２トリガーを後方に引くことにより、該噴霧が停止され、液体がバイパス路を流通して容器内に流入されるようになっている上記（１）〜（６）のいずれか１つに記載のトリガー式連続噴霧器に存する。
【００１７】
本発明は、（９）第２トリガーが第１トリガーの前方に取り付けられている上記（８）記載のトリガー式連続噴霧器に存する。
【００１８】
本発明は、（１０）蓄圧シリンダ部と、第２基部と、圧抜きシリンダ部とが一体となっている上記（８）又は（９）に記載のトリガー式連続噴霧器に存する。
【発明の効果】
【００１９】
本発明のトリガー式連続噴霧器は、加圧シリンダ部及び加圧ピストン部に加え、蓄圧シリンダ部及び蓄圧ピストン部を備えるので、加圧ピストン部により押し出された液体が蓄圧シリンダ部で蓄圧される。そして、所定圧力まで蓄圧された液体は、第２スプリングのバネ力と圧縮されたエアーの力により液体が押し出され、ノズル部から噴霧されることになる。このとき、液体の噴霧は、蓄圧シリンダ部における第２スプリングのバネ力と圧縮されたエアーの力に基づいて行われるので、加圧シリンダ部における加圧ピストン部のスライドには直接関係しない。このため、加圧ピストン部をスライドさせる第１トリガーを引いた状態から元の位置に戻しても、液体が連続噴霧されることになる。
したがって、トリガー式連続噴霧器によれば、第１トリガーを繰り返して後方に引くことにより、ノズル部から液体を、途切れることなく、連続して噴霧させることができる。
【００２０】
本発明のトリガー式連続噴霧器においては、蓄圧シリンダ部が、加圧シリンダ部よりも径大となっている場合、多くの液体を貯留できるので、１度に噴霧できる液体の量が増大する。なお、加圧シリンダ部の断面積と蓄圧シリンダ部の断面積との大きさの比が、１：３〜７であると、加圧される液体と蓄圧される液体との量のバランスが優れる。このとき、加圧ピストン部の１回のスライドにより押し出される液体量と、蓄圧シリンダ部内に貯蓄される最大の液体量との比が、噴霧の脈動防止の観点から、１：５〜９であることが好ましい。
【００２１】
本発明のトリガー式連続噴霧器においては、第１基部に、容器内の負圧を解消するための負圧流路が設けられている場合、容器内からの液体の流入がスムーズに行われる。
【００２２】
本発明のトリガー式連続噴霧器においては、第１基部と、中間部とが一体となっている場合、及び／又は、少なくとも蓄圧シリンダ部と、第２基部とが一体となっている場合、部品点数が減るので、組み付けが容易となる。
【００２３】
本発明のトリガー式連続噴霧器においては、上述した液体の噴霧を停止させる噴霧停止手段を更に備える場合、圧抜きピストン部を上下方向にスライドさせることにより、第３流路を開閉することができる。このとき、圧抜きピストン部には、バイパス路を設けられているので、第３流路とバイパス路との位置を合致させることにより、液体を蓄圧ピストン部からバイパス路を介して容器に流通させることができる。これにより、蓄圧シリンダ部内の蓄圧された圧力を一気に解放することができる。
したがって、上記トリガー式連続噴霧器によれば、仮に液体を噴霧中であっても、瞬時に液体の噴霧を停止させることができ、噴霧停止後にノズル部から液体が垂れることを防止できる。
また、上述した圧抜きピストン部が第２トリガーにより上下にスライドされるようになっているので、操作が極めて容易となる。
【００２４】
本発明のトリガー式連続噴霧器においては、第２トリガーが第１トリガーの前方に取り付けられている場合、第１トリガーを引く場合と同様にして、容易に第２トリガーを引くことができる。
【図面の簡単な説明】
【００２５】
【図１】図１は、本発明に係るトリガー式連続噴霧器の一実施形態を示す断面図である。
【図２】図２は、本発明に係るトリガー式連続噴霧器の一実施形態を示す側面図である。
【図３】図３は、本実施形態に係るトリガー式連続噴霧器の第１部材を示す断面図である。
【図４】図４は、本実施形態に係るトリガー式連続噴霧器のＳバルブを示す断面図である。
【図５】図５は、本実施形態に係るトリガー式連続噴霧器の第２部材を示す断面図である。
【図６】図６は、本実施形態に係るトリガー式連続噴霧器の第１トリガーを引いた状態を示す断面図である。
【図７】図７は、本実施形態に係るトリガー式連続噴霧器の第２トリガーを引いた状態を示す断面図である。
【図８】図８の（ａ）は、従来のトリガー式噴霧器におけるトリガーの操作と液体の噴霧状態との関係を示す概略図であり、（ｂ）は、本実施形態に係るトリガー式連続噴霧器におけるトリガーの操作と液体の噴霧状態との関係を示す概略図である。
【発明を実施するための形態】
【００２６】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００２７】
本発明に係るトリガー式連続噴霧器は、トリガーの操作に基づいて、容器内の液体を噴霧する装置である。
図１は、本発明に係るトリガー式連続噴霧器の一実施形態を示す断面図であり、図２は、本発明に係るトリガー式連続噴霧器の一実施形態を示す側面図である。
図１に示すように、本実施形態に係るトリガー式連続噴霧器１００は、チューブ部８と、該チューブ部８の先端に取り付けられたフィルターケース８ａと、チューブ部８から導入された液体が流通可能な第１流路Ｒ１を有するバルブケース２１と、該第１流路Ｒ１を開閉するＦバルブ（ファーストバルブ）７ａと、バルブケース２１が嵌合される第１基部１と、該第１基部１に内設され、第１流路Ｒ１から液体が流入される加圧シリンダ部３ａと、該加圧シリンダ部３ａ内を摺動可能な加圧ピストン部１３ａと、該加圧ピストン部１３ａを後方に付勢する第１スプリング６ａと、加圧シリンダ部３ａが取り付けられ、液体が流通可能な第２流路Ｒ２を有する中間部５と、該第２流路Ｒ２を開閉するＳバルブ（セカンドバルブ）７ｂと、中間部５に取り付けられ、第２流路Ｒ２から液体が流入される蓄圧シリンダ部３ｂと、該蓄圧シリンダ部３ｂ内を摺動可能な蓄圧ピストン部１３ｂと、該蓄圧ピストン部１３ｂを前方に付勢する第２スプリング６ｂと、蓄圧シリンダ部３ｂに連結され、液体が流通可能な第３流路Ｒ３を有する第２基部２と、該第３流路Ｒ３に配設されたスピンナー部１４と、該スピンナー部１４に取り付けられ、液体が噴霧されるノズル部１５と、加圧ピストン部１３ａを前後にスライドさせる第１トリガー４ａと、液体の噴霧を停止させる噴霧停止手段とを備える。
【００２８】
また、該噴霧停止手段は、第２基部２に内設され、該第３流路Ｒ３に直交するように設けられた圧抜きシリンダ部３ｃと、該圧抜きシリンダ部３ｃを摺動可能な圧抜きピストン部１３ｃと、該圧抜きピストン部１３ｃを下方に付勢する第３スプリング６ｃと、圧抜きシリンダ部３ｃから液体が容器Ｘ内に流通可能となるようにリンクパイプ１８を介して圧抜きピストン部１３ｃ及び第１基部１に設けられたバイパス路Ｒ４と、圧抜きピストン部１３ｃを上下にスライドさせる第２トリガー４ｂと、からなる。
なお、トリガー式連続噴霧器１００を構成する部品の材質は、いずれも、ＰＰ、ＰＥ等の合成樹脂であり、主として射出成形により製造される。
【００２９】
本実施形態に係るトリガー式連続噴霧器１００において、第１基部１には、バルブケース２１が嵌合されている。
バルブケース２１は、先端が外側に屈曲しており、そこにキャップ部２０が係合されている。すなわち、キャップ部２０は、バルブケース２１に係合されている。
【００３０】
ここで、キャップ部２０は、容器Ｘの口部に取り付け可能となっている。すなわち、トリガー式連続噴霧器１００は、容器Ｘに取り付け可能なキャップ部２０を備え、キャップ部２０を介して、市販の容器Ｘに対して着脱可能となっている。なお、容器Ｘは、その口部にトリガー式連続噴霧器１００のキャップ部２０が取り付け可能であれば、形状を問わない。
【００３１】
トリガー噴霧器１００において、バルブケース２１には、内部に液体が流通する第１流路Ｒ１が設けられている。そして、第１流路Ｒ１には、チューブ部８が、該第１流路Ｒ１に連通するように、嵌入されている。なお、チューブ部８は、先端のフィルターケース８ａが容器Ｘ内の液体中に浸漬されており（図示しない）、該フィルターケース８ａを介してチューブ部８から容器Ｘ内の液体が第１流路Ｒ１に導入されるようになっている。
【００３２】
トリガー式連続噴霧器１００において、第１流路Ｒ１には、該第１流路Ｒ１を開閉するＦバルブ７ａが内設されている。なお、Ｆバルブ７ａは、バルブケース２１と第１基部１とに挟持されるようにして配置されている。
【００３３】
ここで、トリガー式連続噴霧器１００においては、第１基部１と、中間部５とが一体となっている。
図３は、本実施形態に係るトリガー式連続噴霧器の第１部材を示す断面図である。
図３に示すように、トリガー式連続噴霧器１００は、第１基部１と、中間部５とが一体となった第１部材５０を有する。これにより、トリガー式連続噴霧器１００においては、部品点数が減るので、組み付けが容易となる。
【００３４】
第１部材５０においては、第１基部１に、加圧シリンダ部３ａが嵌入されるようになっている。
中間部５には、内部に液体が流通する第２流路Ｒ２が設けられており、また、後述する蓄圧シリンダ部３ｂが嵌合される凹部５ａが形成されている。
【００３５】
図１に戻り、トリガー式連続噴霧器１００においては、加圧シリンダ部３ａの内部に、第１スプリング６ａが配置される。
第１スプリング６ａは、一端が加圧シリンダ部３ａに固定され、他端が加圧シリンダ部３ａ内を摺動する加圧ピストン部１３ａに当接されている。すなわち、加圧ピストン部１３ａは、第１スプリング６ａにより、後方に付勢されている。
【００３６】
ここで、トリガー式連続噴霧器１００においては、加圧シリンダ部３ａに負圧穴２２が設けられており、第１基部１に負圧穴２２に連通する負圧流路Ｒ５が設けられている。
例えば、通常状態の時は、加圧ピストン１３ａによって負圧穴２２は塞がっているが、第１トリガー４ａを引くと、負圧穴が外気に開放され、容器Ｘ内に空気が流入することにより、容器Ｘ内の負圧を解消するようになっている。このように、容器Ｘ内の負圧が解消されるので、容器Ｘ内から加圧シリンダ部３ａへの液体の流入がスムーズに行われる。
【００３７】
第１トリガー４ａは、第１基部１の第１枢着部１ａ（図３参照）に枢着されており、第１トリガー４ａの回動に基づいて、加圧ピストン部１３ｂが前後にスライドするようになっている（図２参照）。
【００３８】
トリガー式連続噴霧器１００においては、該第２流路Ｒ２に、該第２流路Ｒ２を開閉するＳバルブ７ｂが内設されている。
図４は、本実施形態に係るトリガー式連続噴霧器のＳバルブを示す断面図である。
図４に示すように、Ｓバルブ７ｂは、弁１７ａと、該弁１７ａに連結されたバネ部１７ｂとからなる。
Ｓバルブ７ｂは、バネ部１７ｂが第２流路Ｒ２の前端に固定されており、弁１７ａがバネ部１７ｂによって第２流路Ｒ２の後端に付勢されている。
【００３９】
ここで、トリガー式連続噴霧器１００においては、蓄圧シリンダ部３ｂと、第２基部２と、圧抜きシリンダ部３ｃとが一体となっている。
図５は、本実施形態に係るトリガー式連続噴霧器の第２部材を示す断面図である。
図５に示すように、トリガー式連続噴霧器１００は、蓄圧シリンダ部３ｂと、第２基部２と、圧抜きシリンダ部３ｃと、後述する連結部１９とが一体となった第２部材５１を有する。これにより、トリガー式連続噴霧器１００においては、部品点数が減るので、組み付けが容易となる。
【００４０】
第２部材５１においては、蓄圧シリンダ部３ｂが上述した中間部５の凹部５ａに嵌合される。
ここで、トリガー式連続噴霧器１００において、蓄圧シリンダ部３ｂは、加圧シリンダ部３ａよりも径大となっている。これにより、多くの液体を貯留できるので、１度に噴霧できる液体の量が増大する。
【００４１】
加圧シリンダ部３ａの断面積と蓄圧シリンダ部３ｂの断面積との大きさの比は、１：３〜７であることが好ましい。すなわち、蓄圧シリンダ部３ｂの断面積の大きさが、加圧シリンダ部３ａの断面積の大きさより、３〜７倍の大きさであることが好ましい。この場合、加圧される液体と蓄圧される液体との量のバランスが優れる。
【００４２】
このとき、加圧ピストン部１３ａの１回のスライドにより押し出される液体量と、蓄圧シリンダ部３ｂ内に貯蓄される最大の液体量との比は、噴霧の脈動防止の観点から、１：５〜９であることが好ましい。この場合、液体の噴霧量を十分に維持した状態で連続噴霧が可能となる。
【００４３】
第２部材５１において、第２基部２には、液体が流通可能な第３流路Ｒ３が設けられており、第３流路Ｒ３の中間位置に直交するように圧抜きシリンダ部３ｃが設けられている。
【００４４】
図１に戻り、トリガー式連続噴霧器１００においては、該蓄圧シリンダ部３ｂに、第２スプリング６ｂが配置される。
第２スプリング６ｂは、一端が中間部５に固定され、他端が蓄圧シリンダ部３ｂ内を摺動する蓄圧ピストン部１３ｂに当接されている。すなわち、蓄圧ピストン部１３ｂは、第２スプリング６ｂにより、前方に付勢されている。
【００４５】
トリガー式連続噴霧器１００においては、圧抜きシリンダ部３ｃに、第３スプリング６ｃが配置されている。
第３スプリング６ｃは、一端が圧抜きシリンダ部３ｃの上底に相当する第２基部２に固定され、他端が圧抜きシリンダ部３ｃ内を摺動する圧抜きピストン部１３ｃに当接されている。すなわち、圧抜きピストン部は、第３スプリング６ｃにより、下方に付勢されている。
【００４６】
第２トリガー４ｂは、第２基部２の第２枢着部２ａ（図５参照）に枢着されており、第２トリガー４ｂの回動に基づいて、圧抜きピストン部１３ｃが上下にスライドするようになっている。
【００４７】
このとき、圧抜きピストン部１３ｃ及び第１基部１には、圧抜きシリンダ部３ｃから液体が容器Ｘ内に流通可能となるように、バイパス路Ｒ４が設けられている。
バイパス路Ｒ４は、圧抜きシリンダ部３ｃ及び第１基部１に設けられており、これらをリンクパイプ１８で繋げている。したがって、バイパス路Ｒ４に流入した液体は、バイパス路Ｒ４を通じて容器Ｘに流通させることができる。
【００４８】
第２部材５１においては、第２基部２に、スピンナー部１４と接続するための接続部１９が設けられている。なお、接続部１９とスピンナー部１４との接続方法は、螺合に限定されず、圧入等であってもよい。
また、該スピンナー部１４の先端には、液体が噴霧されるノズル部１５が取り付けられている。なお、ノズル部１５には、液体を、例えば泡状にするフラップ等が取り付けられていてもよい。
【００４９】
ここで、トリガー式連続噴霧器１００において、第２トリガー４ｂは、第１トリガー４ａの前方に取り付けられている。このため、第１トリガー４ａを引く場合と同様にして、第２トリガー４ｂを引くことができる。すなわち、トリガー式連続噴霧器１００を把持し、指を、第１トリガー４ａから第２トリガー４ｂに引っ掛け直して手前に引けばよい。なお、第１トリガー４ａを引いた状態であっても、第２トリガー４ｂを引くことが可能である。例えば、トリガー式連続噴霧器１００を把持し、中指、薬指、小指で第１トリガー４ａを後方に引きながら、人差し指で第２トリガー４ｂを後方に引けばよい。
【００５０】
次に、本実施形態に係るトリガー式連続噴霧器１００の作用について説明する。
図６は、本実施形態に係るトリガー式連続噴霧器の第１トリガーを引いた状態を示す断面図である。
図６に示すように、トリガー式連続噴霧器１００においては、第１トリガー４ａを手前（後方）に引くと、加圧ピストン部１３ａは、第１スプリング６ａに抗して前方にスライドするようになっている。これにより、加圧シリンダ部３ａ内の液体は加圧される。
そうすると、加圧シリンダ部３ａ内の加圧された液体が押し出され、バネ部１７ｂが収縮して弁１７ａが第２流路Ｒ２を開き、液体が第２流路Ｒ２に流入することになる。
なお、第１トリガー４ａを手前に引くと、加圧シリンダ部３ａの負圧穴２２から容器Ｘ内に空気が流入し、容器Ｘ内の負圧が解消されることになる。
【００５１】
そして、液体は、第２流路Ｒ２から蓄圧シリンダ部３ｂ内に流入し、これにより蓄圧ピストン部１３ｂが第２スプリング６ｂに抗して後方にスライドするようになっている。これにより、蓄圧シリンダ部３ｂ内の液体は蓄圧されることになる。
ここで、蓄圧シリンダ部３ｂ内の液体が一定の圧力に達するまで蓄圧され、その圧力を超えると、第２スプリング６ｂのバネ力と圧縮されたエアーの力により、蓄圧ピストン部１３ｂは、元の位置にスライドし、蓄圧シリンダ部内３ｂ内の液体が、第３流路Ｒ３に流入することになる。
【００５２】
第３流路Ｒ３に流入した液体は、そのままスピンナー部１４及びノズル部１５を介して外部に噴霧されることになる。なお、該噴霧は、蓄圧シリンダ部３ｂ内の圧力が一定の圧力に下がるまで（すなわち、縮んだ第２スプリング６ｂが元の状態に復帰するまで）連続して行われる。また、噴霧が終わると、バネ部１７ｂのバネ力によって弁１７ａが第２流路Ｒ２を閉じるようになっている。
【００５３】
一方、図６に示す第１トリガー４ａを手前に引いた状態から第１トリガー４ａを開放すると、第１スプリング６ａのバネ力により、第１トリガー４ａが元の位置に復帰すると共に、加圧ピストン部１３ａが元の位置である後方にスライドすることになる。このとき、加圧シリンダ部３ａ内は負圧になるので、容器Ｘ内の液体がフィルターケース８ａ及びチューブ部８を介して第１流路Ｒ１から流入されることになる。この流入する液体の勢いによって、Ｆバルブ７ａは、第１流路Ｒ１を開き、液体の流入後は、Ｆバルブ７ａは、第１流路Ｒ１を閉じる。
【００５４】
なお、トリガー式連続噴霧器１００において、液体の噴霧は、蓄圧シリンダ部３ｂにおける第２スプリング６ｂのバネ力と圧縮されたエアーの力に基づいて行われるので、加圧シリンダ部３ａにおける加圧ピストン部１３ａのスライドには直接関係しない。このため、加圧ピストン部１３ａをスライドさせる第１トリガー４ａの動きに関わらず、液体が連続噴霧されることになる。
【００５５】
図８の（ｂ）は、本実施形態に係るトリガー式連続噴霧器におけるトリガーの操作と液体の噴霧状態との関係を示す概略図である。
図８の（ｂ）に示すように、トリガー式連続噴霧器は、第１トリガー４ａを数回から打ちすることにより、液体が噴霧される。そして、第１トリガー４ａを更に操作することにより、液体が途切れることなく、連続して噴霧される。
その後、第２トリガー４ｂを引くことにより、液体の噴霧が停止される。
【００５６】
図７は、本実施形態に係るトリガー式連続噴霧器の第２トリガーを引いた状態を示す断面図である。
図７に示すように、トリガー式連続噴霧器１００においては、第２トリガー４ｂを手前（後方）に引くと、圧抜きピストン部１３ｃは、第３スプリング６ｃに抗して圧抜きシリンダ部３ｃを上方にスライドするようになっている。これにより、第３流路Ｒ３が封鎖される。すなわち、圧抜きピストン部１３ｃは、第３流路Ｒ３を開閉する弁の働きをしている。これにより、仮に液体の噴霧中であっても、該噴霧を停止させることが可能となる。このとき、第３流路Ｒ３が急に封鎖されるので、液体が慣性に基づいて流通しようとすると、第３流路Ｒ３からノズル部１５までが負圧となる。このため、トリガー式連続噴霧器１００においては、ノズル部１５から液体が垂れることも防止できる。
【００５７】
そして、圧抜きピストン部１３ｃを上方にスライドさせ、第３流路Ｒ３とバイパス路Ｒ４との位置を合致させる。これにより、蓄圧シリンダ部１３ｂ内の液体は、第３流路Ｒ３からバイパス路Ｒ４に流入され、該バイパス路Ｒ４を通じて容器Ｘに流通される。その結果、蓄圧シリンダ部３ｂ内の蓄圧された圧力が一気に解放される。
【００５８】
一方、第２トリガー４ｂを引いた状態から開放すると、第３スプリング６ｃのバネ力により、第２トリガー４ｂが元の位置に復帰すると共に、圧抜きピストン部１３ｃが元の位置である下方にスライドすることになる。これにより、第３流路Ｒ３は、再び流通可能となる。
【００５９】
本実施形態に係るトリガー式連続噴霧器１００においては、液体をノズル部１５から連続して噴霧することができる。
また、仮に液体を噴霧中であっても、簡単な操作で瞬時に液体の噴霧を停止させることができ、噴霧停止後にノズルから液体が垂れることも防止できる。
【００６０】
以上、本発明の好適な実施形態について説明したが、本発明は上記実施形態に限定されるものではない。
【００６１】
例えば、本実施形態に係るトリガー式連続噴霧器１００においては、第１基部１と、中間部５とが一体となった第１部材５０としているが、それぞれ別体であってもよい。
同様に、蓄圧シリンダ部３ｂと、第２基部２と、圧抜きシリンダ部３ｃとが一体となった第２部材５１としているが、それぞれ別体であってもよい。
【産業上の利用可能性】
【００６２】
本発明のトリガー式連続噴霧器は、トリガーを引くことにより、容器内の液を噴霧する装置として好適に用いられる。本発明のトリガー式連続噴霧器によれば、第１トリガーを繰り返して後方に引くことにより、連続して液体を噴霧することができる。
【符号の説明】
【００６３】
１・・・第１基部
１ａ・・・第１枢着部
２・・・第２基部
２ａ・・・第２枢着部
３ａ・・・加圧シリンダ部
３ｂ・・・蓄圧シリンダ部
３ｃ・・・圧抜きシリンダ部
４・・・トリガー
４ａ・・・第１トリガー
４ｂ・・・第２トリガー
５・・・中間部
５ａ・・・凹部
６ａ・・・第１スプリング
６ｂ・・・第２スプリング
６ｃ・・・第３スプリング
７ａ・・・Ｆバルブ
７ｂ・・・Ｓバルブ
８・・・チューブ部
８ａ・・・フィルターケース
１３ａ・・・加圧ピストン部
１３ｂ・・・蓄圧ピストン部
１３ｃ・・・圧抜きピストン部
１４・・・スピンナー部
１５・・・ノズル部
１７ａ・・・弁
１７ｂ・・・バネ部
１８・・・リンクパイプ
１９・・・接続部
２０・・・キャップ部
２１・・・バルブケース
２２・・・負圧穴
５０・・・第１部材
５１・・・第２部材
１００・・・トリガー式連続噴霧器
１０１・・・トリガー式噴霧器
Ｒ１・・・第１流路
Ｒ２・・・第２流路
Ｒ３・・・第３流路
Ｒ４・・・バイパス路
Ｒ５・・・負圧流路
Ｘ・・・容器
【図１】
2013158673.tif 000003
【図２】
2013158673.tif 000004
【図３】
2013158673.tif 000005
【図４】
2013158673.tif 000006
【図５】
2013158673.tif 000007
【図６】
2013158673.tif 000008
【図７】
2013158673.tif 000009
【図８】
2013158673.tif 000010